(57)【特許請求の範囲】
【請求項１】
複数の枠体が水平方向に回動可能であるが垂直方向に変位不能に連結された２個の連結ガイドと、
前記２個の連結ガイドの長手方向に沿って設置され、該長手方向に変位可能な被検者の人体各部の周囲長を計測するためのメジャーと、
前記２個の連結ガイドの一端が水平方向に回動可能に接続されたアダプターと、
前記アダプターを垂直方向に変位させるための支柱と、
前記アダプターを前記支柱に固定するための固定具とからなることを特徴とする人体測定装置。
【請求項２】
複数の枠体が水平方向に回動可能であるが垂直方向に変位不能に連結された２個の連結ガイドと、
前記２個の連結ガイドの一方のガイドの長手方向に沿って設置され、該長手方向に変位可能な被検者の人体各部の周囲長を計測するためのメジャーと、
前記２個の連結ガイドの他方の連結ガイドの一端に設置され、前記メジャーの一方端をロックするための固定具と、
前記メジャーが巻き取られる巻取り部と、
前記ゼンマイバネと前記メジャーが設置された連結ガイドの中間に位置し、前記メジャーが巻き付けられる計測ローラと、
前記計測ローラの回転数を検知する検出部を有することを特徴とする人体測定装置。
【請求項３】
前記計測ローラの回転軸と同一の軸上に一方向回転ダンパーが設置されていることを特徴とする請求項２記載の人体測定装置。
【請求項４】
前記巻取り部がゼンマイバネであり、前記検出部がエンコーダであることを特徴とする請求項２又は３記載の人体測定装置。
【請求項５】
前記人体測定装置が、身長計又は身長体重計の支柱に移動可能に設置されることを特徴とする請求項１乃至４いずれか記載の人体測定装置。
【発明の詳細な説明】
【技術分野】
【０００１】
本発明は、体脂肪測定の基本データとして用いる人体の腹囲寸法又は胸部等の人体各部の周囲長を測定する人体測定装置に関する。
【背景技術】
【０００２】
人体各部の周囲長は内臓脂肪組織の推定、衣類作製等のための基礎データ等として広く活用されている。
【０００３】
例えば、体脂肪組織情報は、糖尿病や高血圧及び高脂血症などの生活習慣病のスクリーニング用としての有用性が特に問われており、内蔵脂肪組織付近に付着、蓄積した内臓脂肪組織に関して、その計測の重要性が日に日に高まってきている。
【０００４】
従来の内臓脂肪組織の推定方法では、身体特定情報として、主に、身長、体重、年齢、性別情報を用いてきたが、このような情報を用いた推定では、四肢と体幹の個人誤差が含まれてしまうこと等から、精度の高い測定を行うことができないという問題があった。そのため、体幹部付近の腹囲長に関する情報を用いて内臓脂肪組織の推定が行われているのが現状である。
【０００５】
例えば、特許文献１には、ノギス及びメジャーを用いた腹囲長の測定方法の例が開示されている（図８参照）。更に、人体の胸、腰及び尻等の周囲長も一般的にはメジャーで通常測定されている。
【特許文献１】特開２００２−２１９１３２号公報
【発明の開示】
【発明が解決しようとする課題】
【０００６】
しかし、上記図８に示したようなノギスや通常のメジャーのみを使用した測定ではその測定値にはどうしてばらつきが発生し、正確な測定ができないのが現状であり、その結果内臓脂肪組織の推定値がばらつくと言う問題があった。
【０００７】
本発明は、このような課題を解決するためになされたものであり、種々の体型の被検者であっても、常に正確に、安定して腹囲長等の人体各部の周囲長を測定することができる人体測定装置を提供することを目的とする。
【課題を解決するための手段】
【０００８】
本発明は、上述の目的を達成するため、以下（１）〜（５）の構成を備えるものである。
【０００９】
（１）複数の枠体が水平方向に回動可能であるが垂直方向に変位不能に連結された２個の連結ガイドと、前記２個の連結ガイドの長手方向に沿って設置され、該長手方向に変位可能な被検者の人体各部の周囲長を計測するためのメジャーと、前記２個の連結ガイドの一端が水平方向に回動可能に接続されたアダプターと、前記アダプターを垂直方向に変位させるための支柱と、前記アダプターを前記支柱に固定するための固定具とからなることを特徴とする人体測定装置。
【００１０】
（２）複数の枠体が水平方向に回動可能であるが垂直方向に変位不能に連結された２個の連結ガイドと、前記２個の連結ガイドの一方のガイドの長手方向に沿って設置され、該長手方向に変位可能な被検者の人体各部の周囲長を計測するためのメジャーと、前記２個の連結ガイドの他方の連結ガイドの一端に設置され、前記メジャーの一方端をロックするための固定具と、前記メジャーが巻き取られる巻取り部と、前記ゼンマイバネと前記メジャーが設置された連結ガイドの中間に位置し、前記メジャーが巻き付けられる計測ローラと、前記計測ローラの回転数を検知する検出部を有することを特徴とする人体測定装置。
【００１１】
（３）前記計測ローラの回転軸と同一の軸上に一方向回転ダンパーが設置されていることを特徴とする前記（２）記載の人体測定装置。
【００１２】
（４）前記巻取り部がゼンマイバネであり、前記検出部がエンコーダであることを特徴とする前記（２）又は（３）記載の人体測定装置。
【００１３】
（５）前記人体測定装置が、身長計又は身長体重計の支柱に移動可能に設置されることを特徴とする前記（１）乃至（４）いずれか記載の人体測定装置。
【発明の効果】
【００１４】
本発明は、上記構成を有することで、種々の体型の被検者であっても、常に正確に、安定して人体各部の周囲長を測定することができる人体測定装置を提供することができる。
【発明を実施するための最良の形態】
【００１５】
以下に、本発明を実施するための最良の形態を、実施例により詳しく説明する。
【実施例１】
【００１６】
本実施例の人体測定装置Ａ，１０の外観を示した斜視図を図１に示す。図に示したように、装置１０は左右の連結ガイド１ａ，１ｂ、メジャー６及びアダプター７を主な構成品としている。メジャーは左右の連結ガイドの中を貫通しており、更にガイドは取付具Ｂ，５を介してアダプターに固定されている。本アダプター７は腹囲測定の被検者の背面に接するものであり、その凹部は支柱にはまり上下にスライドできるものとする。上記メジャー６は被検者の腹囲を測定するための一般的なメジャーである。
【００１７】
ここで、左右の連結ガイドの詳細を図２を参照しながら説明する。本連結ガイドの基本構成要素は、図２（ａ）に示したように枠体２と蓋３である。個々の枠体は図のボス２ｂと穴２ａを介して相互に連結され、その後蓋３がはめ込まれるという構造を有している。二つの枠体が結合され、蓋を取付けた状態を図２（ｂ）に示す。この図から分かるように、連結されたガイドはＸ方向には所定の角度だけ回動可能であるが、Ｙ方向には変位しない構造となっている。図２（ｃ）には、上記のようにして組み立てられた連結ガイドの両端に取付けられる取付具Ａ，４と取付具Ｂ，５を示した。これら取付具のボス４ａと穴５ａは、枠体の穴２ａとボス２ｂに挿入されるものとする。このようにして組み立てられた連結ガイドは、Ｘ方向が水平面に、Ｙ方向が垂直面になるようにアダプターに固定され（図１）、その結果水平面内ではほぼ自由に変形可能であるが、垂直方向には変位しない構造となっている。
【００１８】
次に、本実施例の人体測定装置Ａを用いて被検者の腹囲を測定する手順を図３を参照しながら説明する。
【００１９】
まず、被検者を台８ｂの上に載せる。その後、被検者の腹囲の計測適正位置に装置本体を移動させ、位置が決まったら図の固定レバー９を回し装置を支柱８ａに固定する。そして、左右の連結ガイド１ａ，１ｂを被検者の腹部表面に接するように巻きつけた後、連結ガイドの中を貫通しているメジャー６を使って腹囲を計測する。計測が終了したら、左右の連結ガイドを開き被検者は台から降りる。
【００２０】
このように、本実施例の人体測定装置Ａを使用すると、常に被検者の腹部の頂上部を通る腹囲を、その水平面内で正確に測定することが可能となる。
【００２１】
本実施例では、人体測定装置Ａを用いて被検者の腹囲を測定したが、被検者の胸、腰又は尻等の周囲長を測定できるのは言うまでもない。
【実施例２】
【００２２】
本願発明の人体測定装置の第二の実施形態を図４〜図６を参照しながら説明する。
【００２３】
本実施例の人体測定装置Ｂ，２０は、実施例１と同じ左右の連結ガイド１ａ，１ｂを有している（図４）。そして、一方の連結ガイド（今の場合、左連結ガイド１ｂ）にはメジャー１３が貫通しており、他方の連結ガイドの先端にはロック金具１１が固定されているものとする。また、左右の連結ガイドは図４に示したように、演算装置１２に固定されている。この演算装置は図のように、実施例１のアダプターと同様に支柱と接合するための凹部を有している。メジャー１３は、この演算装置の内部に導入されている。
【００２４】
次に、演算装置の内部構造を説明する。一方の連結ガイド１ｂを貫通しているメジャー１３は、図５に示したように計測ローラ１２ｃを介して巻取り部、例えばゼンマイバネ１２ｂに巻き取られている。また、計測ローラの軸と同軸上に、ローラの回転をパルス値として計数するための検出部、例えばエンコーダ１２ｅが設置されており、更にこの同軸上に一方向回転ダンパー１２ｄが設置されている。
【００２５】
上記ゼンマイバネ１２ｂは、メジャーを巻き取る機能の他に、計測誤差を少なくするためにメジャーを計測ローラに密着させるという機能も有する。また、一方向回転ダンパー１２ｄは、メジャーを引き出した後、急に放した際の急激な差し込みによるメジャーと計測ローラとのズレを防ぐという機能を有している。
【００２６】
また、図５に示したように上記エンコーダ１２ｅにより計測されたパルス値をもとに、被検者の腹囲を計算するためのＰＣ板１２ｆが内蔵されている。
【００２７】
本実施例の人体測定装置Ｂ，２０を使って、被検者５０の腹囲を測定する手順を図６、図７を参照しながら説明する。
【００２８】
まず、実際の計測をする前に計測準備を行う。すなわち、電源と外部機器（例えば、パソコン）との接続を行い、電源スイッチ２５をＯＮにする。その後、基準腹囲ダミー（図示せず）をセットし校正スイッチ２３を押す。これは、既知の腹囲長を有するダミーにより装置本体の初期設定を行うものである。最後に、計測スイッチ２４を押してプリントアウトを行い、内容を確認する。
【００２９】
次に、被検者５０の腹囲測定を行う。被検者を台の上に載せる。その後、装置本体を被検者の腹囲が最大となる位置で固定する。この場合、人体測定装置Ｂは図６に示したように身長体重計に固定されたレール１５の溝に沿って移動するものとする。そして、メジャー１３を引き出し、反対側の金具１１に固定した後、計測スイッチ２４を押す。最後に、メジャーを固定金具１１から外した後、被検者を台から降ろす。
【００３０】
なお、本実施例の人体測定装置はメジャーの変位量をエンコーダで計測して腹囲長を算出する構成を有するものであるが、このメジャーの目盛りを使用して、あらかじめ決められた左連結ガイド１ｂの所定の位置（例えば、図５のＡの位置）で腹囲長を実際に読むという構成も同時に有しているものとする。
【００３１】
このように、本実施例の人体測定装置は、被検者の腹部の頂上部の腹囲を確実かつ安定的に測定することが可能である。また、身長体重計のデータと本装置で計測した腹囲データを総合的に分析することで、合理的かつ正確な内臓脂肪組織の推定が可能となる。
【図面の簡単な説明】
【００３２】
【図１】実施例１の人体測定装置Ａを示す斜視図
【図２】（ａ）連結ガイドの枠体の斜視図（ｂ）枠体が連結された状態を示す図（ｃ）取付具Ａ及び取付具Ｂを示す図
【図３】実施例１の人体測定装置Ａの使用状態を示す図
【図４】実施例２の人体測定装置Ｂを示す斜視図
【図５】実施例２の人体測定装置Ｂの構造を示す断面図
【図６】実施例２の人体測定装置Ｂの使用状態を示す図
【図７】（ａ）実施例２の人体測定装置Ｂの背面図（ｂ）右側面図（ｃ）左側面図
【図８】従来の腹囲測定方法を示す図
【符号の説明】
【００３３】
１ａ  右連結ガイド
１ｂ  左連結ガイド
２  枠体
２ａ  穴
２ｂ  ボス
３  蓋
４  取付具Ａ
４ａ  ボス
５  取付具Ｂ
５ａ  穴
６  メジャー
７  アダプター
８ａ  支柱
８ｂ  台
９  固定レバー
１０  人体測定装置Ａ
１１  ロック金具
１２  演算装置
１２ａ  レール
１２ｂ  ゼンマイバネ
１２ｃ  計測ローラ
１２ｄ  一方向回転ダンパー
１２ｅ  エンコーダ
１２ｆ  ＰＣ板
１３  メジャー
１４  背当てマット
１５  移動レール
１６  固定バンド
１７  身長体重計
１８  ヒューズホルダ
１９  電源コード
２０  人体測定装置Ｂ
２１  ロール紙
２２  表示部
２３  校正スイッチ
２４  計測スイッチ
２５  電源スイッチ
２６  出力コネクタ
２７  ノギス
５０  被検者
５０ａ  被検者の腹部
【要約】
【課題】種々の体型の被検者であっても、常に正確に、安定して腹囲長等の人体各部の周囲長を測定することができる人体測定装置を提供することを目的とする。
【解決手段】複数の枠体が水平方向に回動可能であるが垂直方向に変位不能に連結された２個の連結ガイド１ａ，１ｂと、前記２個の連結ガイドの長手方向に沿って設置され、該長手方向に変位可能な被検者の腹囲を計測するためのメジャー６と、前記２個の連結ガイドの一端が水平方向に回動可能に接続されたアダプター７と、前記アダプターを垂直方向に変位させるための支柱８ａと、前記アダプターを前記支柱に固定するための固定具９とからなることを特徴とする人体測定装置。
【選択図】図１【図１】
0004027415.tif 000002
【図２】
0004027415.tif 000003
【図３】
0004027415.tif 000004
【図４】
0004027415.tif 000005
【図５】
0004027415.tif 000006
【図６】
0004027415.tif 000007
【図７】
0004027415.tif 000008
【図８】
0004027415.tif 000009